(57)【要約】【課題】ズーム動作中においてズーム動作終了後の構図を明瞭かつ一見して容易に把握することのできるようにする。【解決手段】ズームリングの回転量を検出し（ステップＳ７）、この検出した回転量に応じた目標画角枠の大きさを制御して、当該大きさに固定する（ステップＳ８）。すなわち、回転量に応じて設定されるズーム倍率を算出し、目標画角枠をスルー画像において前記算出したズーム倍率で撮影される撮影範囲に対応する大きさに表示制御して、当該大きさに表示固定する。一方、スルー画像に関しては、例えばズームリングの回転方向が拡大方向である場合、ズームリングの回転速度に基づく速度で、徐々に縮小表示する（ステップＳ１２）。したがって、スルー画像は画面上においてその表示大きさが徐々に小さくなっていくが、目標画角枠は固定された同一の大きさであり、その内部にズーム動作終了後の構図が示される。【選択図】図２
2010056698.tif 000002
【特許請求の範囲】
【請求項１】
被写体を撮影して画像データを得る撮影手段と、
前記撮影手段の撮影範囲を変化させるズーム動作を行うズーム手段と、
前記ズーム手段によるズーム動作中において、ズーム動作完了後の前記撮影範囲である目標撮影範囲を指定する指定手段と、
表示画面において、前記撮影手段により得られた画像データに基づくスルー画像を表示するとともに、前記指定手段により指定された目標撮影範囲に対応するズーム指標を表示する表示手段と、
前記ズーム手段によるズーム動作の進行に伴い、前記ズーム動作の進行に応じて前記スルー画像の大きさを変化させて表示させる一方、前記ズーム指標の大きさを維持させて表示させる第１の表示制御手段と、
を備えることを特徴とする撮影装置。
【請求項２】
前記スルー画像の大きさと前記ズーム指標の大きさとが一致したときに、一致したときの撮影範囲でもって、前記スルー画像を前記表示手段に全画面表示させる第２の表示制御手段を備えることを特徴とする請求項1記載の撮影装置。
【請求項３】
前記指定手段は、前記ズーム手段によるズーム動作中において、前記目標撮影範囲を可変的に指定する手段を備えることを特徴とする請求項１又は２記載の撮影装置。
【請求項４】
前記画像データとは、時間的に連続する複数の画像データからなる動画データであり、
この動画データを記録する記録手段と、
前記表示手段の画面上において、前記スルー画像の大きさと前記ズーム指標の大きさとの差が所定以下となったか否かを判断する判断手段と、
この判断手段により、前記所定以下になったと判断された場合、前記ズーム手段によるズーム動作の速度を、前記所定以下になったと判断されない場合よりも低下させるズーム制御手段と、
を備えることを特徴とする請求項１、２又は３記載の撮影装置。
【請求項５】
前記判断手段により、前記所定以下になったと判断された場合、前記表示手段の画面において前記スルー画像の大きさが変化する速度を、前記所定以下になったと判断されない場合よりも低下させる第３の表示制御手段を備えることを特徴とする請求項５記載の撮影装置。
【請求項６】
前記指定手段により指定された前記目標撮影範囲に対応するズーム倍率を、前記スルー画像の大きさ変化に伴って前記表示手段の画面上に発生する余白部分に表示させる第４の表示制御手段を備えることを特徴とする請求項１から５にいずれか記載の撮影装置。
【請求項７】
被写体を撮影して画像データを得る撮影手段と、前記撮影手段の撮影範囲を変化させるズーム動作を行うズーム手段と、表示画面と、を備えるコンピュータを、
前記ズーム手段によるズーム動作中において、ズーム動作完了後の前記撮影範囲である目標撮影範囲を指定する指定手段、
前記表示画面において、前記撮影手段により得られた画像データに基づくスルー画像を表示させるとともに、前記スルー画像上に前記指定手段により指定された目標撮影範囲に対応するズーム指標をさせる第１の表示制御手段、
前記ズーム手段によるズーム動作の進行に伴い、前記ズーム動作の進行に応じて前記スルー画像の大きさを変化させて表示させる一方、前記ズーム指標の大きさを維持させて表示させる第１の表示制御手段、
として機能させるプログラム。
【発明の詳細な説明】
【技術分野】
【０００１】
本発明は、ズーム機能を備えた撮影装置、及びこの撮像装置に用いられるプログラムに関する。
【背景技術】
【０００２】
従来、ズーム機能を備えたカメラにおいては、ズーム動作開始前に、ズーム段数（倍率）を設定し、設定したズーム段数に対応する画角（撮影範囲）を示す画角線をモニタに表示させるものがある（例えば、特許文献１参照）。また、特許文献１には、ズーム動作中において、現在のズーム倍率に対応した構図（ユーザが目標とする画角）を示す画角線をモニタに表示させることも開示されている（変形例を参照）。このデジタルカメラでは、ズーム動作を開始する前に、ズーム動作完了後の構図を確認できる。
【特許文献１】特開２００７−１７８７３５号公報
【発明の開示】
【発明が解決しようとする課題】
【０００３】
ところで、上記従来のデジタルカメラにおいては、モニタに表示する画角線はユーザが目標とする画角を示す線であるため、この画角線により規定される画角がズーム動作完了後の最終的な画角となる。そして、ズーム動作完了後の画角の大きさとは、すなわちモニタに表示される全体画像の大きさと同じものである。すると、ズーム動作の進行によってモニタに表示される被写体像の大きさが変化していっても、モニタの表示される全体画像の大きさ自体は不変であるため、ズーム動作の進行に伴い画角線（ズーム完了後の画角を規定する線）の大きさを変化させなければならないことになる。
【０００４】
例えば、図６に示すように、上記従来のデジタルカメラによって、モニタ３３３に表示される花の被写体像を拡大させるようにズーム動作を行う場合を考える。この場合、ズーム動作を開始する前には、画角線３３２（ズーム完了後の画角を規定する線）は、図６（Ａ）に示すように小さな枠線となっている。しかし、ズーム動作が進行していくと、図６（Ｂ）に示すように、モニタ３３３上の花の被写体像が徐々に大きく表示されるに伴って、画角線３３２も大きく表示されるように変化することとなる。
【０００５】
ここで、上述の通り、画角線はズーム動作完了後の画角を示し、構図把握の基準となるものである。そのため、初級者的なユーザであっても、ズーム動作中にズーム動作終了後の構図を明瞭かつ一見して把握可能とする為には、ズーム動作中において画角線の大きさは一定（固定的）であることが望ましい。
【０００６】
つまり、画角線はユーザがズーム動作終了後の構図の認識を明瞭にする為の補助手段であり、ユーザは先ず画角線により囲繞される範囲の大きさを認識し（一次認識）、次にこの意識した画角線により囲繞される大きさの範囲内を観察して、ズーム動作終了後の構図を認識する（二次認識）。このため、従来のデジタルカメラのように、ズーム動作の進行に伴い、モニタに表示する画角線の大きさが変化してしまうと、前記一次認識自体が困難となってしまい、当然に二次認識も困難となってしまう。その結果、初級者的なユーザにおいて、画角線に基づき、ズーム動作中にズーム動作終了後の構図を明瞭かつ一見して把握することが不可能となってしまう。
【０００７】
本発明は、かかる従来の課題に鑑みてなされたものであり、ズーム動作中においてズーム動作終了後の構図を明瞭かつ一見して容易に把握することのできる撮影装置及びプログラムを提供することを目的とするものである。
【課題を解決するための手段】
【０００８】
前記課題を解決するため請求項１記載の発明に係る影装置にあっては、被写体を撮影して画像データを得る撮影手段と、前記撮影手段の撮影範囲を変化させるズーム動作を行うズーム手段と、前記ズーム手段によるズーム動作中において、ズーム動作完了後の前記撮影範囲である目標撮影範囲を指定する指定手段と、表示画面において、前記撮影手段により得られた画像データに基づくスルー画像を表示するとともに、前記指定手段により指定された目標撮影範囲に対応するズーム指標を表示する表示手段と、前記ズーム手段によるズーム動作の進行に伴い、前記ズーム動作の進行に応じて前記スルー画像の大きさを変化させて表示させる一方、前記ズーム指標の大きさを維持させて表示させる第１の表示制御手段と、を備えることを特徴とする。
【０００９】
また、請求項２記載の発明に係る撮影装置にあっては、前記スルー画像の大きさと前記ズーム指標の大きさとが一致したときに、一致したときの撮影範囲でもって、前記スルー画像を前記表示手段に全画面表示させる第２の表示制御手段を備えることを特徴とする。
【００１０】
また、請求項３記載の発明に係る撮影装置にあっては、前記指定手段は、前記ズーム手段によるズーム動作中において、前記目標撮影範囲を可変的に指定する手段を備えることを特徴とする。
【００１１】
また、請求項４記載の発明に係る撮影装置にあっては、前記画像データとは、時間的に連続する複数の画像データからなる動画データであり、この動画データを記録する記録手段と、前記表示手段の画面上において、前記スルー画像の大きさと前記ズーム指標の大きさとの差が所定以下となったか否かを判断する判断手段と、この判断手段により、前記所定以下になったと判断された場合、前記ズーム手段によるズーム動作の速度を、前記所定以下になったと判断されない場合よりも低下させるズーム制御手段と、を備えることを特徴とする。
【００１２】
また、請求項５記載の発明に係る撮影装置にあっては、前記判断手段により、前記所定以下になったと判断された場合、前記表示手段の画面において前記スルー画像の大きさが変化する速度を、前記所定以下になったと判断されない場合よりも低下させる第３の表示制御手段を備えることを特徴とする。
【００１３】
また、請求項６記載の発明に係る撮影装置にあっては、前記指定手段により指定された前記目標撮影範囲に対応するズーム倍率を、前記スルー画像の大きさ変化に伴って前記表示手段の画面上に発生する余白部分に表示させる第４の表示制御手段を備えることを特徴とする。
【００１４】
また、請求項７記載の発明にかかるプログラムにあっては、被写体を撮影して画像データを得る撮影手段と、前記撮影手段の撮影範囲を変化させるズーム動作を行うズーム手段と、表示画面と、を備えるコンピュータを、前記ズーム手段によるズーム動作中において、ズーム動作完了後の前記撮影範囲である目標撮影範囲を指定する指定手段、前記表示画面において、前記撮影手段により得られた画像データに基づくスルー画像を表示させるとともに、前記スルー画像上に前記指定手段により指定された目標撮影範囲に対応するズーム指標をさせる第１の表示制御手段、前記ズーム手段によるズーム動作の進行に伴い、前記ズーム動作の進行に応じて前記スルー画像の大きさを変化させて表示させる一方、前記ズーム指標の大きさを維持させて表示させる第１の表示制御手段、として機能させる。
【発明の効果】
【００１５】
本発明によれば、ズーム動作の進行に応じてスルー画像の大きさを徐々に変化させて表示させる一方、ズーム動作完了後の目標撮影範囲に対応するズーム指標の大きさを維持させて表示させるので、ズーム動作中においてズーム動作終了後の構図を明瞭かつ一見して容易に把握することができる。
【発明を実施するための最良の形態】
【００１６】
以下、本発明の一実施の形態を図に従って説明する。図１は、本発明の一実施の形態を適用したデジタルカメラ１０の回路構成を示すブロック図であり、このデジタルカメラ１０は、ＡＥ、ＡＷＢ、ＡＦ等の一般的な機能を有するものである。すなわち、レンズブロック１１には、ズームレンズ、フォーカスレンズ等の光学系、及び光学系を駆動するための駆動機構が含まれており、前記ズームレンズは、駆動機構に設けられているズームモーター１２（ＤＣモーター）によって光軸方向に駆動される。デジタルカメラ１０全体を制御するＣＰＵ１３には、バス１４及びタイミング発生器（ＴＧ：Timing Generator）１５を介してモータードライバ１６が接続されており、モータードライバ１６は、ＣＰＵ１３の命令に従いタイミング発生器１５が発生するタイミング信号に基づき、ズームモーター１２を駆動する。なお、ストロボ１７もタイミング発生器１５が発生するタイミング信号により駆動される。また、図示は省略するが、実際には、フォーカスレンズを駆動するためのフォーカスモーター及びモータードライバや、メカシャッターやメカ絞り及びそれらを駆動するためのモーターを有する駆動機構等が設けられている。
【００１７】
また、デジタルカメラ１０は撮像素子としてＣＣＤ１８を有している。ＣＣＤ１８は、レンズブロック１１の光軸上に配置されており、被写体は、レンズブロック１１によってＣＣＤ１８の受光面に結像される。ＣＣＤ１８は、ＣＰＵ１３の命令に従いタイミング発生器１５が生成するタイミング信号に基づき垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部２１へ出力する。
【００１８】
画像処理部２１は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部２１で変換されたＹＵＶデータは順次ＳＤＲＡＭ２２に格納されるとともに、ＲＥＣスルー・モードでは１フレーム分のデータ（画像データ）が蓄積される毎にビデオ信号に変換され、バックライト（ＢＬ）２４を備える液晶モニタ（ＬＣＤ）２３へ送られてスルー画像として画面表示される。
【００１９】
そして、静止画撮影モードにおいては、シャッターキー操作をトリガとして、ＣＰＵ１３は、ＣＣＤ１８、垂直及び水平ドライバ１９、ユニット回路２０、及び画像処理部２１に対してスルー画撮影モードから静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。また、ムービー録画モードにおいては、１回目のシャッターキーと２回目のシャッターキー操作との間に、ＳＤＲＡＭ２２に順次記憶される複数の画像データがＣＰＵ１３により順次圧縮され、動画ファイルとして外部メモリ２５に記録される。この外部メモリ２５に記録された静止画ファイル及び動画ファイルは、ＰＬＡＹ・モードにおいてユーザーの選択操作に応じてＣＰＵ１３に読み出されるとともに伸張され、ＹＵＶデータとしてＳＤＲＡＭ２２に展開された後、液晶モニタ２３に表示される。
【００２０】
フラッシュメモリ２６には、ＣＰＵ１３に前記各部を制御させるための各種のプログラム、例えばＡＥ、ＡＦ、ＡＷＢ制御用のプログラムや、データ通信用プログラム、後述するフローチャートに示す処理を実行するためのプログラム等の各種のプログラムが格納されている。
【００２１】
また、デジタルカメラ１０は、電源スイッチ、モード選択キー、シャッターキー、ズームキー等の複数の操作キー及びスイッチを含むキー入力部２７、及びニッケル水素電池等の充電可能なバッテリー２８、このバッテリー２８の電力を各部に供給するための電源制御回路２９、及びこれらを制御するマイコン３０を有している。マイコン３０は、キー入力部２７における前記操作キーの操作の有無を定常的にスキャンしており、ユーザーあるいは工場作業者によっていずれかの操作キーが操作されると、その操作内容に応じた操作信号をＣＰＵ１３へ送る。
【００２２】
また、このデジタルカメラ１０は、前記ムービー録画モードにおいて、周囲音を記録する録音機能を備えており、ＣＰＵ１３には、音声処理回路３２を介して、スピーカ（ＳＰ）３３と、マイクロホン（ＭＩＣ）３４とが接続されている。音声処理回路３２は、ムービー録画モード時には、マイクロホン３４から入力された音声波形を処理して、音声波形データをＣＰＵ１３に入力する。そして、ＣＰＵ１３は、ムービー録画モードにおいて１回目と２回目のシャッターキー操作間に、音声処理回路３２から入力された音声波形データを圧縮し、この圧縮周囲音データと圧縮動画データとを含む音声付き動画ファイルを生成して外部メモリ２５に記録する。この外部メモリ２５に記録された音声付き動画ファイルは、ＰＬＡＹ・モードにおいて動画データが再生される際に、周囲音データが音声処理回路３２で音声波形に変換されてスピーカ３３により再生される。
【００２３】
さらに、このデジタルカメラ１０は、ズームリング３５（又はズームレバー）を備えている。ズームリング３５は、ズーム倍率を変化、調整する際に回転操作されるリング状の部材である。したがって、ズームリング３５は、一方の回転方向である拡大方向と、他方の回転方向である縮小方向とに回転操作自在であり、レンズブロック１１を構成するレンズが配置された筒体の外周部に設けられている。ズームリング検出部３６は、前記ズームリング３５のユーザによる駆動方向（回転方向）、回転速度、及び回転量を示す信号を出力するものであり、これらズームリング３５の回転方向、回転速度、及び回転量を示す信号は、バス１４を介してＣＰＵ１３に供給される。
【００２４】
以上の構成に係る本実施の形態において、前記ムービー録画モードを設定するとＣＰＵ１３は、前記プログラムに従って、図２〜図４のフローチャートに示す処理を実行する。先ず、液晶モニタ２３にてのスルー画像の表示を開始する（ステップＳ１）。このステップＳ１での処理により、図５（Ａ）に示すように、液晶モニタ２３には、スルー画像２３１が表示される。
【００２５】
次に、動画撮影を開始するための１回目のシャッターキーの押下が検出されたか否かを判断し（ステップＳ２）、１回目のシャッターキーの押下が検出されるまで待機する。１回目のシャッターキーの押下が検出されたならば、動画の記録処理を開始する（ステップＳ３）。すなわち、１回目のシャッターキーの押下時点からＳＤＲＡＭ２２に順次記憶される複数の画像データをＣＰＵ１３により順次圧縮する。
【００２６】
引き続き、ズームリング検出部３６からの信号に基づき、ズームリング３５の回転開始が検知されたか否かを判断し（ステップＳ４）、検知されない場合には、後述する図４のステップＳ２７に進む。また、ズームリング３５の回転開始が検知された場合には、目標画角枠を表示する（ステップＳ５）。したがって、このステップＳ５での処理により、図５（Ｂ）に示すように、スルー画像２３１上に適宜の大きさからなる目標画角枠２３２が表示される。
【００２７】
しかる後に、ズームリング３５の回転停止が検知されたか否かを判断する（ステップＳ６）。そして、ズームリング３５の回転停止が検知された時点（ステップＳ６→ＹＥＳ）、つまりユーザがズームリング３５を所望の位置まで回転操作し終えた時点で、ズームリング検出部３６からの信号に基づきズームリング３５の回転量を検出する（ステップＳ７）。
次に、この検出した回転量に応じた目標画角枠２３２の大きさを制御して、当該大きさに固定する（ステップＳ８）。すなわち、このステップＳ８での回転量に応じた目標画角枠の大きさ制御に際しては、回転量に応じて設定されるズーム倍率を算出し、前記目標画角枠２３２を前記スルー画像２３１において前記算出したズーム倍率で撮影される撮影範囲に対応する大きさに表示制御して、当該大きさに表示固定する。したがって、このステップＳ８での処理により、例えば図５（Ｃ）に示すような大きさからなる目標画角枠２３２がスルー画像２３１上に固定表示される、つまり目標画角枠２３２の大きさを変えることなく表示させることとなる。
【００２８】
さらに、ズームリング検出部３６からの信号に基づき、ズームリング３５の回転速度を検出するとともに（ステップＳ９）、ズームリング３５の回転方向が前記拡大方向と縮小方向のいずれであるかを判断する（ステップＳ１０）。そして、ズームリング３５の回転方向が拡大方向である場合には（ステップＳ１０→ＹＥＳ）、前記ステップＳ９で検出したズームリング３５の回転速度に基づく駆動速度で、モータードライバ１６を介してズームモーター１２を制御し、レンズブロック１１内のズームレンズを拡大方向に駆動させ、これに伴ってスルー画像２３１の画角を徐々に変更する（ステップＳ１１）。
【００２９】
このステップＳ１１での処理に際しては、予めフラッシュメモリ２６にズームリング３５の回転速度とズームレンズの駆動速度とを対応させたテーブルを記憶させておき、このテーブルから回転速度に対応する駆動速度を読み出して処理を実行するようにしてもよいし、回転速度を変数とする所定の演算式により駆動速度を算出して処理を実行するようにしてもよい。
【００３０】
さらに、前記ステップＳ９で検出したズームリング３５の回転速度に基づく速度で、スルー画像を徐々に縮小表示する（ステップＳ１２）。このとき、スルー画像を徐々に縮小する表示する際の速度である縮小速度は、ステップＳ１１での駆動速度に対応する速度であり、ステップＳ１１での駆動に同期する縮小速度であることが好ましい。また、このステップＳ１２におけるスルー画像の「縮小」は、液晶モニタ２３におけるスルー画像の表示大きさ（表示倍率ではなく縦横寸法）を小さくすることを意味する。したがって、このステップＳ１２での処理により、図５（Ｃ）から（Ｄ）への遷移図に示すように、スルー画像２３１は、液晶モニタ２３の画面上においてその表示大きさが徐々に小さくなっていく。つまり、スルー画像２３１中の人物被写体像の表示倍率は変わることなく、表示大きさ（縦横寸法）が徐々に小さくなっていく。また、この結果スルー画像２３１の周囲には、余白部分２３４が生ずることとなる。
【００３１】
しかし、このとき目標画角枠２３２は、前記ステップＳ８での処理により固定されたままである。したがって、図５（Ｃ）から（Ｄ）への遷移図に示すように、図５（Ｃ）における目標画角枠２３２と図５（Ｄ）における目標画角枠２３２とは固定された同一の大きさであって、スルー画像２３１が縮小しても変化することはない。
【００３２】
つまり、ズームリング３５の操作に応じたズーム動作の進行に応じてスルー画像２３１の大きさは徐々に変化させて表示させる一方、ズーム動作完了後の目標撮影範囲に対応するズーム指標である目標画角枠２３２の大きさを維持させて表示させる。したがって、画角線はズーム動作完了後の画角を示し、構図把握の基準となるものであるから、初級者的なユーザであっても、ズーム動作中にズーム動作終了後の構図を明瞭かつ一見して把握可能とする為には、ズーム動作中においても画角線の大きさが一定であることが望ましいとう画角線の表示理想を達成することができる。よって、初級者的なユーザであっても、ズーム動作中においてズーム動作終了後の構図を明瞭かつ一見して容易に把握することができる。
【００３３】
一方、ステップＳ１０での判断の結果、ズームリング３５の回転方向が縮小方向である場合には、前記ステップＳ９で検出したズームリング３５の回転速度に基づく駆動速度で、モータードライバ１６を介してズームモーター１２を制御し、レンズブロック１１内のズームレンズを縮小方向に駆動させ、これに伴ってスルー画像２３１の画角を徐々に変更する（ステップＳ１３）。このステップＳ１３での処理も、前記ステップＳ１１での処理と同様に、駆動速度を読み出しあるいは算出して実行すればよい。
【００３４】
次に、目標画角枠の１／２の大きさにスルー画像を縮小して表示し（ステップＳ１４）、しかる後にステップＳ９で検出したズームリング３５の回転速度に基づく速度で、スルー画像を徐々に拡大表示する（ステップＳ１５）。このとき、スルー画像を徐々に拡大する表示する際の速度である拡大速度は、ステップＳ１５での駆動速度に対応する速度であり、ステップＳ１３での駆動に同期する拡大速度であることが好ましい。また、このステップＳ１６におけるスルー画像の「拡大」は、液晶モニタ２３におけるスルー画像の表示大きさ（表示倍率ではなく縦横寸法）を大きくすることを意味する。
【００３５】
したがって、現在表示されているスルー画像２３１をそのまま拡大表示すると、スルー画像２３１の拡大表示に伴って、該スルー画像２３１が液晶モニタ２３の画面外となる大きさになって表示不可能となる場合が生ずる。このため、ステップＳ１４でスルー画像を一旦、目標画角枠の１／２の大きさに縮小して表示し、しかる後にステップＳ１５の処理を実行する。これにより、ズームリング３５が縮小方向に操作されて、スルー画像を拡大表示（縦横寸法を大きく）しても、その全体を表示することができる。
【００３６】
そして、ステップＳ１２又はステップＳ１５に続くステップＳ１６においては、液晶モニタ２３の表示領域内の余白部分２３４に現在のズーム倍率を表示する。すなわち、前述のように、ステップＳ８により、ズームリング３５の回転量に応じて設定されるズーム倍率が算出されていることから、この算出されているズーム倍率を液晶モニタ２３の表示領域内の余白部分２３４に表示する。
【００３７】
このステップＳ１６での処理により、図５（Ｄ）に示すように、液晶モニタ２３の表示領域内の余白部分２３４に例えば「４．０倍」のように現在のズーム倍率２３３が表示される。したがって、ユーザがこのズーム倍率２３３と目標画角枠２３２とを視認することにより、現在のズーム倍率と画角との関係、現在のズーム倍率において撮影可能な範囲等を明瞭に認識、確認することができる。
【００３８】
また、ステップＳ１６に続く図３のステップＳ１７においては、再度ズームリング検出部３６からの信号に基づき、ズームリング３５の回転開始が再度検知されたか否かを判断する（ステップＳ１７）。このとき、ユーザは目標画角枠２３２の画像を視認することにより、前回のズームリング３５の回転操作により設定されたズーム倍率が不満であれば、再度ズームリング３５を操作するであろうし、満足であればズームリング３５の回転操作を行わないものと想定される。ユーザが現在のズーム倍率に満足し、ズームリング３５の回転操作を行わなかった場合には、ステップＳ１７の判断はＮＯとなる。よって、ステップＳ１８〜Ｓ２２の処理を行うことなく、ステップＳ２３に進む。
【００３９】
しかし、ユーザが現在のズーム倍率に不満であり、ズームリング３５の回転操作を再度行い、その結果ズームリング３５の回転が再度検知された場合には、ステップＳ１７の判断はＹＥＳとなる。よって、ステップＳ１７からステップＳ１８に進み、ズームリング検出部３６からの信号に基づきズームリング３５の回転量を検出する。
【００４０】
次に、前述したステップＳ８の処理と同様に、この再度検出した回転量に応じた目標画角枠２３２の大きさを制御して、当該大きさに固定する（ステップＳ１９）。したがって、ユーザは、現在の目標画角枠２３２による目標撮影範囲に不満であり現在のズーム倍率に不満であり場合には、ズームリング３５を再度回転操作することにより、自在に目標画角枠２３２による目標撮影範囲を変更することができる。
【００４１】
そして、この大きさを制御して固定した目標画角枠２３２とスルー画像２３１との液晶モニタ２３に表示させるべき大きさに基づき、スルー画像２３１と目標画角枠２３２との大小関係が逆転したか否かを判断する（ステップＳ２０）。
【００４２】
ここで、本実施形態では、後述するように、スルー画像２３１の大きさと目標画角枠２３２の大きさとの大小関係が、
（１）スルー画像２３１の大きさ＝目標画角枠２３２の大きさ
の関係となったときにズーム動作が完了する。
【００４３】
そのため、スルー画像２３１を徐々に縮小表示させているとき（ズームレンズを拡大方向に駆動しているとき）は、液晶モニタ２３に表示されるスルー画像２３１の大きさと目標画角枠２３２の大きさとの大小関係は、
（２）スルー画像２３１の大きさ＞目標画角枠２３２の大きさ
の関係にあらねばならない。
【００４４】
仮に、スルー画像２３１を徐々に縮小表示させているときに、液晶モニタ２３に表示されるスルー画像２３１の大きさと目標画角枠２３２の大きさとの大小関係が、
（３）スルー画像２３１の大きさ＜目標画角枠２３２の大きさ
の関係となっているとする。この場合、既にスルー画像２３１の大きさが目標画角枠２３２の大きさがよりも小さくなっているにも関わらず、更にスルー画像２３１を徐々に縮小表示させていくので、いつまで経っても（１）の大小関係が成立することがなく、ズーム動作が完了しなくなってしまう。
【００４５】
しかし、ズームリング３５の回転量（及び回転方向）は、ユーザの意思による任意のものであるから、これにより設定されるズーム倍率も任意である。このため、ユーザがズームリング３５の回転操作を再度行うことによって改めて設定されたズーム倍率によっては、スルー画像２３１を徐々に縮小表示させているときに、ステップＳ１９で制御、固定される目標画角枠２３２と、液晶モニタ２３に表示されるべきスルー画像２３１の大きさの大小関係が（２）の大小関係とは逆転する場合がある。
【００４６】
そこで、本実施形態では、スルー画像２３１を徐々に縮小表示させているとき（ズームレンズを拡大方向に駆動しているとき）に、（２）の大小関係が逆転して（３）の大小関係が成立した場合には（ステップＳ２０→ＹＥＳ）、ズームレンズの駆動方向を反転させる（ステップＳ２１）。つまり、ＣＰＵ１３は、ズームリング３５の回転方向が拡大方向であれば、モータードライバ１６を介してズームモーター１２を制御し、レンズブロック１１内のズームレンズを逆の縮小方向に駆動させる。そして、スルー画像の縮小処理も反転させて、スルー画像を拡大表示させるように変更する（ステップＳ２２）。このようにすれば、最終的に（１）の大小関係が成立することとなり、ズーム動作が完了しなくなるという不具合を防止できる。
【００４７】
また、スルー画像２３１を徐々に拡大表示させているとき（ズームレンズを縮小方向に駆動しているとき）は、液晶モニタ２３に表示されるスルー画像２３１の大きさと目標画角枠２３２の大きさとの大小関係は、
（３）スルー画像２３１の大きさ＜目標画角枠２３２の大きさ
の関係にあらねばならない。
【００４８】
仮に、スルー画像２３１を徐々に拡大表示させているときに、液晶モニタ２３に表示されるスルー画像２３１の大きさと目標画角枠２３２の大きさとの大小関係が、
（２）スルー画像２３１の大きさ＞目標画角枠２３２の大きさ
の関係となっているとする。この場合、既にスルー画像２３１の大きさが目標画角枠２３２の大きさがよりも大きくなっているにも関わらず、更にスルー画像２３１を徐々に拡大表示させていくので、いつまで経っても（１）の大小関係が成立することがなく、ズーム動作が完了しなくなってしまう。
【００４９】
上述の通り、ユーザのズームリング３５の回転操作により設定されるズーム倍率は任意である。そのため、ユーザがズームリング３５の回転操作を再度行うことによって改めて設定されたズーム倍率によっては、スルー画像２３１を徐々に拡大表示させているときに、ステップＳ１９で制御、固定される目標画角枠２３２と、液晶モニタ２３に表示されるべきスルー画像２３１の大きさの大小関係が（３）の大小関係とは逆転する場合がある。
【００５０】
そこで、本実施形態では、スルー画像２３１を徐々に拡大表示させているとき（ズームレンズを縮小方向に駆動しているとき）に、（３）の大小関係が逆転して（２）の大小関係が成立した場合には（ステップＳ２０→ＹＥＳ）、ズームレンズの駆動方向を反転させる（ステップＳ２１）。つまり、ＣＰＵ１３は、ズームリング３５の回転方向が縮小方向であれば、モータードライバ１６を介してズームモーター１２を制御し、レンズブロック１１内のズームレンズを逆の拡大方向に駆動させる。そして、スルー画像の拡大処理も反転させて、スルー画像を縮小表示させるように変更する（ステップＳ２２）。このようにすれば、最終的に（１）の大小関係が成立することとなり、ズーム動作が完了しなくなるという不具合を防止できる。
【００５１】
また、スルー画像２３１を徐々に縮小表示させているときに（２）の大小関係が維持されている場合には、ステップＳ２１及びＳ２２の処理を実行することなくステップＳ２３に進む。また、スルー画像２３１を徐々に拡大表示させているときに（３）の大小関係が維持されている場合には、ステップＳ２１及びＳ２２の処理を実行することなくステップＳ２３に進む。
【００５２】
次に、スルー画像２３１の大きさと目標画角枠２３２の大きさの差が所定値以下となったか否かを判断し（ステップＳ２３）、スルー画像２３１の大きさと目標画角枠２３２の大きさの差が所定値以下となるまで、ステップＳ１７〜Ｓ２３のループを維持する。この間、ズームレンズはステップＳ１１、Ｓ１３、Ｓ２１のいずれかの処理により駆動され続けられて、スルー画像２３１の画角も変化しているとともに、スルー画像２３１もステップＳ１２、Ｓ１５、Ｓ２２のいずれかの処理により、その大きさが変化し続けている。
【００５３】
したがって、ステップＳ１２、Ｓ１５、Ｓ２２のいずれかの処理によって、スルー画像２３１の大きさが変化し続けていることより、やがてはスルー画像２３１の大きさと固定されている目標画角枠２３２の大きさの差が所定値以下となり、ステップＳ２３の判断がＹＥＳとなる。よって、ステップＳ２３からステップＳ２４に進み、ズームレンズの駆動速度と、スルー画像２３１の拡大・縮小速度とを、ステップＳ１１、Ｓ１３、Ｓ２１、及びステップＳ１２、Ｓ１５、Ｓ２２よりも遅くする（ステップＳ２４）。
【００５４】
したがって、スルー画像２３１の大きさと固定されている目標画角枠２３２の大きさの差が所定値以下となった時点以降は、ズームレンズの駆動速度がステップＳ１１、Ｓ１３、Ｓ２１の処理時よりも遅くなることにより、動画記録された画像におけるズーム速度も遅くなる。よって、後日これを再生した動画再生時において、視覚上好ましくないとされる急激なズームが発生する場面を可及的に少なくすることができる。
【００５５】
また、スルー画像２３１の拡大・縮小速度も、ステップＳ１２、Ｓ１５、Ｓ２２よりも遅くなることから、スルー画像２３１の大きさと目標画角枠２３２の大きさの差が所定値以下となった以降においては、スルー画像２３１の大きさの変化による視認性の低下（従来と異なり、スルー画像２３１の大きさが急激に変化することによる違和感）を抑制することができる。
【００５６】
次に、前述のように大きさが変化し続けているスルー画像２３１と固定の大きさからなる目標画角枠２３２との大きさが一致したか否かを判断する（ステップＳ２５）。そして、両者の大きさの関係が
（１）スルー画像２３１の大きさ＝目標画角枠２３２の大きさ
となって、ステップＳ２５の判断がＹＥＳとなったならば、目標画角枠２３２と一致したときの画角のまま、スルー画像２３１を液晶モニタ２３一杯に全画面表示して（ステップＳ２６）、ステップＳ４に戻る。これで、ズーム動作が完了したこととなる。したがって、ユーザがズームリング３５を回転操作して設定した目標の画角に達すると、このステップＳ２６での処理により、目標の画角に対応するスルー画像２３１が液晶モニタ２３に全画面表示されて（３）の状態となり、ズーム処理が完了することとなる。よって、液晶モニタ２３の全表示面積を過不足なく有効利用して、目標の画角に対応するスルー画像２３１を明瞭に表示することができる。
【００５７】
また、このように全画面表示された画角に満足したユーザがズームリング３５を回転操作することなく動画撮影を行うと、ズームリング３５の回転操作が検出されないことから、ステップＳ４からの処理を繰り返した際に、該ステップＳ４の判断がＹＥＳとなる。したがって、ステップＳ４から図４のステップＳ２７に進み、２回目のシャッターキーの操作を検出したか否かを判断する。２回目のシャッターキーの操作を検出されない場合には、記録開始から所定時間（本実施の形態における１回の動画撮影における最大時間）が経過したか否かを判断し（ステップＳ２８）、経過していない場合にはステップＳ４に戻る。
【００５８】
そして、２回目のシャッターキーの操作が検出されるか、記録開始から所定時間が経過すると、ＳＤＲＡＭ２２に順次記憶された複数の画像データからなる動画ファイルを外部メモリ２５に記録して、動画の記録処理を終了する（ステップＳ２９）。
【００５９】
なお、本実施の形態においては、ムービー録画モードにおいて本発明を適用した場合につて説明したが、静止画撮影モードにおいても本発明を適用し得ることは勿論である。
【図面の簡単な説明】
【００６０】
【図１】本発明の一実施の形態を適用したデジタルカメラの電気的構成を示すブロック図である。
【図２】同実施の形態における処理手順を示すフローチャートである。
【図３】図２のステップＳ１６に続くフローチャートである。
【図４】図２のステップＳ４→ＮＯに続くフローチャートである。
【図５】同実施の形態における表示遷移図である。
【図６】従来のデジタルカメラのズーム動作に伴う表示遷移図である。
【符号の説明】
【００６１】
１０    デジタルカメラ
１１    レンズブロック
１２    ズームモーター
１３    ＣＰＵ
１４    バス
１５    タイミング発生器
１６    モータードライバ
１８    ＣＣＤ
１９    水平ドライバ
２０    ユニット回路
２１    画像処理部
２２    ＳＤＲＡＭ
２３    液晶モニタ
２５    外部メモリ
２６    フラッシュメモリ
３５    ズームリング
３６    ズームリング検出部
２３１    スルー画像
２３２    目標画角枠
２３３    ズーム倍率
【図１】
2010056698.tif 000003
【図２】
2010056698.tif 000004
【図３】
2010056698.tif 000005
【図４】
2010056698.tif 000006
【図５】
2010056698.tif 000007
【図６】
2010056698.tif 000008